(57)【特許請求の範囲】
【請求項１】
鼻隠しに固定される樋吊り金具と、樋吊り金具に前後耳部を係合させて軒先に沿って支持される軒樋と、樋吊り金具で軒樋の開口面上に支持される表面に複数の長孔が並設されてなる落ち葉除け板とを有する軒先構成体において、
前記樋吊り金具は、その上面に先端部を落ち葉除け板の下面に接合させて当該板を支持する上部支持片を立設固定してなり、この上部支持片の先端部には、落ち葉除け板の長孔の並設間隔に対して略２／３の間隔を開けて、固着具の留め孔が少なくとも三つ並設して設けられ、
前記落ち葉除け板は、その上面に長孔と交差した凹溝が設けられていることを特徴とする軒先構成体。
【請求項２】
鼻隠しに固定される樋吊り金具と、樋吊り金具に前後耳部を係合させて軒先に沿って支持される軒樋と、樋吊り金具で軒樋の開口面上に支持される表面に複数の長孔が並設されてなる落ち葉除け板とを有する軒先構成体において、
前記落ち葉除け板はその上面に長孔と交差した凹溝が設けられているとともに、
前記鼻隠しに取り付けられた鼻隠し水切り板の先端から下方に補助水切りを延設させ、前記樋吊り金具の上面に前記補助水切りが固着具で留め付られたことを特徴とする軒先構成体。
【請求項３】
樋吊り金具はその上面に先端部を落ち葉除け板の下面に接合させて当該板を支持する上部支持片を立設固定してなり、この上部支持片の先端部には、落ち葉除け板の長孔の並設間隔に対して略２／３の間隔を開けて、固着具の留め孔が少なくとも三つ並設してあることを特徴とする請求項２に記載の軒先構成体。
【発明の詳細な説明】
【技術分野】
【０００１】
本発明は、樋吊り金具で支持される軒樋の上面を落ち葉除け板で覆って軒先を構成する軒先構成体に関する。
【背景技術】
【０００２】
軒樋の中に落ち葉やゴミや入り込んで軒樋内部で堆積することを防止し、また、寒冷地では降雪時に屋根から滑り落ちる雪塊が軒樋の中に入り込んで軒樋を破損させることを防止するため、例えば図９に示されるように、樋吊り金具１００で支持される軒樋１０１の上方であって、屋根材１０２の端部下側から軒樋１０１の前端部に亘り、落ち葉除け板１０３を取り付けることがある。かかる落ち葉除け板１０３としては、耐蝕性を有する鋼板の表面に多数の小さな円形の孔１０３ａをパンチングにより一様に穿孔した形態のもの、或いは線状鋼材を網板状に加工した形態のものなどが広く利用されている（例えば特許文献１参照）。
【０００３】
【特許文献１】実開平５−７８７６２号公報
【発明の開示】
【発明が解決しようとする課題】
【０００４】
落ち葉除け板がその表面に多数の孔が穿孔され、或いは網状に形成されたものであれば、屋根材を伝って流れ落ちる雨水を落ち葉除け板表面の多数の孔から軒樋内に確実に流入させることが可能であるが、その半面、多数の孔を穿孔する加工に手間を要し、落ち葉除け板のコストは高くならざるを得ない。落ち葉除け板の加工コストを抑えるため、パンチングにより多数の孔を穿孔する代わりに、落ち葉除け板の表面に複数の長孔を所定の間隔を開けて形成することが考えられるが、この場合に、長孔の並設間隔が大きいと、屋根材から落ち葉除け板の表面に流れ落ちる雨水の内、長孔と長孔の間を伝う雨水は軒樋で集水されることなく、そのまま軒先へと流れ落ちてしまう不都合がある。
また、家屋の屋根材は、洋風や和風などといった家屋の外観に対応させて、或いは降雨・降雪量や風量などといった住環境に応じて、瓦やスレート、トタンなどの金属系屋根材などから適宜に選定されるが、屋根材の種類に関わりなく、何れの屋根材の軒先にも同じ形態の軒樋や樋吊り金具、落ち葉除け板を取り付けることが可能であれば、建築部材のコスト削減や部材の共用化を図る上で好ましい。
さらに、使用する屋根材の種類や軒先の寸法・形状などによっては、屋根材の先端部から下方に離れた位置に軒樋を取り付ける場合がある。この場合、軒樋の上面が落ち葉除け板で覆われていても、風雨が強いときは雨水が軒樋に流入せずに鼻隠しと軒樋の後端部との隙間に回り込み、軒樋の後面部外側を伝って軒下に漏れ落ち易い。よって、屋根材の先端部と軒樋の設置間隔によっては、軒樋の後面部側に回り込む雨水を捕捉して軒樋内に流し落す手段を講じる必要がある。
【０００５】
本発明は従来技術の有するこのような問題点に鑑み、軒樋の集水機能を低下させることなく、雨水を落ち葉除け板から軒樋内に確実に流し落すことができるとともに、種々の屋根材や軒先の形状などにフレキシブルに対応して軒先に容易に取り付けることが可能な軒先構成体を提供することを課題とする。
【課題を解決するための手段】
【０００６】
前記課題を解決するための本発明は、鼻隠しに固定される樋吊り金具と、樋吊り金具に前後耳部を係合させて軒先に沿って支持される軒樋と、樋吊り金具で軒樋の開口面上に支持される表面に複数の長孔が並設されてなる落ち葉除け板とを有する軒先構成体において、前記落ち葉除け板はその上面に長孔と交差した凹溝が設けられていることを特徴としている。
これによれば、屋根材から落ち葉除け板に流れ落ちた雨水は、長孔を通って軒樋内に流れ落ち、また、落ち葉除け板表面の長孔と長孔の間を伝う雨水も一旦凹溝に流入し、凹溝内に形成された長孔から軒樋内へと流れ落ち、屋根材から流れ落ちる雨水を軒樋に確実に集水させることができる。
【０００７】
前記構成において、樋吊り金具はその上面に先端部を落ち葉除け板の下面に接合させて当該板を支持する上部支持片を立設固定して形成し、この上部支持片の先端部には、落ち葉除け板の長孔の並設間隔に対して略２／３の間隔を開けて、固着具の留め孔が少なくとも三つ並設してあることが好ましい。
前記上部支持片は長さの異なるものを樋吊り金具とは別体に複数形成しておき、この中から、使用する屋根材や屋根の勾配、軒先の寸法・形状、軒樋の取り付け位置などの設置条件に応じて、落ち葉除け板を安定的に支持することが可能な適宜な長さのものを選定し、これを樋吊り金具の上面にリベットで留め付けるなどして一体に固定される。
予め長さの異なる上部支持片を形成し、これを選択的に用いることで、設置条件の異なる軒先に同一形態の樋吊り金具を取り付けて利用することが可能であり、部材の共用化を図ることができる。また、上部支持片の先端部に、落ち葉除け板の長孔の並設間隔に対して略２／３の間隔を開けて少なくとも三つの留め孔を並設しておけば、上部支持片の先端部を落ち葉除け板の下面に接合させた際に何れかの留め孔と長孔とが重なり合うので、重合部分にネジなどを挿通させて留め付けることにより、簡易な作業で上部支持片に落ち葉除け板を一体に固定することが可能である。
【０００８】
また、前記構成において、鼻隠しに取り付けられた鼻隠し水切り板の先端から下方に補助水切りを延設させるととともに、樋吊り金具の上面に補助水切りを固着具で留め付けることが好ましい。樋吊り金具の上面に補助水切りを固定してあれば、軒樋の後面部側へ回り込もうとする雨水を補助水切りで確実に捕捉し、軒樋内へと流し落すことが可能である。
【発明を実施するための最良の形態】
【０００９】
本発明の好適な一実施形態を図面を参照して説明する。
図１は本発明の一実施形態の軒先構成体が取り付けられた軒先の概略断面図、図２は図１の樋吊り金具の外観図と側面図、図３は図１の落ち葉除け板の外観図、図４は樋吊り金具の支持片先端部の留め孔と落ち葉除け板表面の長孔の形成間隔を説明するための図、図５は本発明の他の実施形態の軒先構成体が取り付けられた軒先の概略断面図、図６は図５の樋吊り金具と落ち葉除け板の外観図、図７は本発明のさらに他の実施形態の軒先構成体が取り付けられた軒先の概略断面図、図８は図７の樋吊り金具の外観図である。
各図において、符号１は軒先構成体、２は軒樋、３は樋吊り金具、４は落ち葉除け板、５は補助水切り、６は屋根材、７は鼻隠し、８は鼻隠し水切り板、９は水切り、１０は軒天井、１１ａ、１１ｂ、１１ｃはそれぞれ固着具であるリベット、ネジ及びビスをそれぞれ示している。
【００１０】
図１〜図４に示した形態は、屋根材６としてトタンなどの金属板を用いた屋根の軒先に本発明の軒先構成体１を取り付けたものであり、図１に示されるように、この形態の軒先構成体１は、軒先に沿って支持される軒樋２と、軒樋２を支持する複数の内吊り式の樋吊り金具３と、樋吊り金具３で軒樋１の開口面上に支持される複数の落ち葉除け板４と、同じく樋吊り金具３の上面に支持される補助水切り５とにより構成されている。
【００１１】
より詳しくは、軒樋２は、例えば表面を塩化ビニル樹脂で覆うなどの耐蝕加工が施された、或いは耐蝕性を有する材質のものからなる長尺の鋼板を、板金加工により長手方向に沿って屈曲させて、底面部２１の両側に前面部２２と後面部２３を立ち上げた略Ｕ字断面形状に形成してある。前面部２２は底面部２１から斜め前方へ立ち上がっており、その上端に鋭角に内側へ折り返した前耳部２２ａを設け、また、後面部２３の上端には後方へ張り出してコ字状に屈曲した後耳部２３ａを設けてある。
【００１２】
樋吊り金具３は、適宜な太さの複数の帯状鋼板を屈曲・一体化してなるものであり、図２に示されるように、一側を平坦部３１ａ、他側を斜め後方に立ち上げてから水平に折り曲げ、その端部を垂下させて弓形に折れ曲がった屈曲部３１ｂとして釣り針状の側面形状を呈するように形成された本幹３１と、一端に軒樋２の前耳部２２ａが係合する前側支持部３２ａを立ち上げ、他端に軒樋２の後耳部２３ａが係合する後側支持部３２ｂを設けてなる樋支持片３２と、軒樋２の底面部２１の上面を支持する下部支持片３３と、落ち葉除け板４の下面を支持する上部支持片３４と、鼻隠し７に固定されるブラケット３５との各部材からなり、本幹３１の平坦部３１ａの上面に上部支持片３４の底部３４ａを、下面に樋支持片３２と下部支持片３３の上端部を各々重ね、重合部分をリベット１１ａで留め付け、ブラケット３５の中央に形成された凹所３５ａに本幹３１の屈曲部３１ｂの垂下部を重ねてリベット１１ａで留め付けて、本幹３１に各片を一体に固着して構成してある。
また、本幹３１の屈曲部３１ｂの立ち上がり傾斜部には補助水切り５をネジ１１ｂで留め付けるための留め孔３１ｃが形成してあり、樋支持片３２の下面には後側支持部３２ｂと向い合わせに板バネ３６を取り付けてある。
【００１３】
また、上部支持片３４は、図２（Ｂ）に示されるように、本幹３１の上面に接合一体化される底部３４ａの前後両片を上方へ垂直に折り曲げるとともに、前片部３４ｂの先端部を樋支持片３２の前側支持部３２ａに向けて前方へ水平に折り曲げ、後片部３４ｃは前片部３４ｂよりも高く立ち上げるとともにその先端部３４ｄを斜め後方へ屈曲させて形成してある。
前側支持部３２ａと前片部３４ｂの先端部間は適宜な間隔の隙間となっており、この隙間に軒樋２の前耳部２２ａと落ち葉除け板４の前端部４３が係入するようになっている（図１参照）。
また、上部支持片３４の後片部３４ｃの先端部３４ｄの傾斜は、屋根の勾配に対応した角度に設けてあり、当該先端部３４ｄの上面に落ち葉除け板４の下面を載せて支持した状態で、屋根材６の延長面上に落ち葉除け板４の上面が位置するように設けてある。また、後片部３４ｃの先端部３４ｄには、落ち葉除け板４を留め付けるネジ１１ｂを挿通するための留め孔３４ｅが所定の間隔（ｄ）を開けて三つ形成してある。留め孔３４ｅの形成間隔については後述する。
さらに、後片部３４ｃの先端部３４ｄよりも下側の面内には切欠き３４ｆが形成してあり、この切欠き３４ｆにドライバーの先端を通して本幹３１の屈曲部３１ｂに補助水切り５をネジ留めすることができるように設けてある。
【００１４】
落ち葉除け板４は、軒樋２と同様に、耐蝕加工が施された或いは耐蝕性を有する長尺の鋼材を用い、図３に示されるように、その表面に短手幅方向に延びた複数の長孔４１を所定の間隔（Ｄ）で長手方向に沿って並設し、その上面の短手幅中央よりも若干前方寄りの位置に各長孔４１と交差して両側端部間に亘って延びた下方に凹んだ凹溝４２を設け、前端部４３を下方へ屈曲し、後端部４４を下方へ折り返して形成してある。
落ち葉除け板４は、その短手幅を屋根材６の先端部下方から軒樋２の前端部に亘って覆い得る幅に設けてあり、樋吊り金具３の上部支持片３４の先端部に取り付けた状態で、屋根材６と落ち葉除け板４の上面とが一つながりに連続した面を構成し、軒樋２の上面全体が覆い隠れるようになっている（図１参照）。
【００１５】
また、図４に示されるように、落ち葉除け板４の各長孔４１は、その並設間隔（Ｄ）が樋吊り金具３の上部支持片３４の先端部３４ｄに形成された留め孔３４ｅの並設間隔（ｄ）の略１．５倍となるように、換言すれば長孔４１の並設間隔（Ｄ）に対する留め孔３４ｅの並設間隔（ｄ）が略２／３（ｄ＝２／３Ｄ）となるように形成してあり、これにより、落ち葉除け板４を上部支持片３４の先端部３４ｄに載せた際に、長孔４１と先端部３４ｄに形成された何れかの留め孔３４ｅとが重なり合い、重合する両孔にネジ１１ｂを挿通させて固定することができるように設けてある。
【００１６】
また、補助水切り５は、軒樋２と同様に、耐蝕加工が施された或いは耐蝕性を有する適宜な幅の長尺の鋼板からなり、図１に示されるように、その上端部５１を鼻隠し７に取り付けられた鼻隠し水切り板８の先端部８ａの内側に、下端部５２を樋吊り金具３の屈曲部３１ｂの上面にそれぞれ当接させて、鼻隠し水切り板８の先端部８ａに連ねて軒樋２の開口面上に設置されており、補助水切り５の表面から屈曲部３１ｂの留め孔３１ｃにネジ１１ｂを螺合させて、樋吊り金具３に一体に取り付けてある。
【００１７】
これらの部材からなる軒先構成体１の施工は、先ず、鼻隠し７に取り付けられた鼻隠し水切り板８の表面に樋吊り金具３のブラケット３５を当てがってビス１１ｃで固定し、鼻隠し水切り８に沿って樋吊り金具３を適宜な間隔を開けて順次取り付ける。
次いで、固定した各樋吊り金具３の屈曲部３１ｂ間に補助水切り５を架け渡し、上部支持片３４の切欠き３４ｆからドライバーの先端を通して補助水切り５を屈曲部３１ｂの上面にネジ１１ｂで一体に留め付ける。
補助水切り５を各樋吊り金具３に固定したならば、各樋吊り金具３間に軒樋２を架け渡し、軒樋２の前耳部２２ａと後耳部２３ａをそれぞれ樋吊り金具３の前側支持部３２ａと後側支持部３２ｂとに係合させて樋吊り具３に軒樋２を支持させる。
【００１８】
鼻隠し７に沿って軒樋２を取り付けたならば、その上方に落ち葉除け板４を取り付ける。落ち葉除け板４の取り付けは、その下面を樋吊り金具３の上部支持片３４の先端部３４ｄ上面に接合させるとともに、その後端部４４を屋根材６の先端部下側に潜り込ませ、前端部４３の縁部を樋吊り金具３の前側支持部３２ａと前片部３４ｂの隙間に軒樋２の前耳部２２ａとともに係入させた状態で、重なり合った長孔４１と上部支持片３４の留め孔３４ｅにネジ１１ｂを螺合して留め付け、上部支持片３４の先端部３４ｄに落ち葉除け板４を一体に固定することにより行われる。
なお、落ち葉除け板４は、各樋吊り金具３に固定しつつ隣接する落ち葉除け板４の側端部同士を継ぎ合わせて鼻隠し７に沿って取り付けられる。
【００１９】
このように取り付けられた軒先構成体１は、軒樋２を支持する樋吊り金具３の上面に立設させた上部支持片３４で落ち葉除け板４が支持され、屋根材６から流れ落ちる雨水は落ち葉除け板４の長孔４１から軒樋２に流れ落ち、また、長孔４１と長孔４１の間を伝う雨水も凹溝４２に流入して、凹溝４２内の長孔４１から軒樋２内に確実に流れ落すことができ、また、落ち葉やゴミ、或いは降雪時に屋根材６から滑り落ちる雪塊は、落ち葉除け板４の上面を伝って軒先へと落下し、軒樋２内に入り込むことを防止することができる。
また、風雨が強いときに落ち葉除け板４の長孔４１から進入した雨水も、軒樋２の上方に設置した補助水切り５に当たって軒樋２内に流れ落ち、落ち葉除け板４の長孔４１から流入した雨水を確実に軒樋２で集水させることが可能である。
【００２０】
図５及び図６に示した形態は、屋根材６としてスレート材を用いた屋根の軒先に本発明の軒先構成体１を取り付けたものであり、両図に示されるように、この形態では屋根材６の直ぐ下に軒樋２が取り付けられるため、補助水切り５は使用せず、軒樋２と樋吊り金具３と落ち葉除け板４とで軒先構成体１を構成してある。
より詳しくは、この形態の樋吊り金具３は、本幹３１をその平坦部３１ａと屈曲部３１ｂの高低さを前記形態よりも小さく設けて形成し、前記平坦部３１ａの上面に略Ｚ字形に屈曲した上部支持片３７を固着して形成してある。上部支持片３７は、前記平坦部３１ａの上面に接合する底部３７ａの側片を上方へ垂直に折り曲げ、その先端部３７ｂを樋支持片３２の前側支持部３２ａに向けて前方へ水平に折り曲げるとともに、先端部３７ｂ内に、前記形態と同様に所定の間隔（ｄ＝２／３Ｄ）を開けて三つの留め孔３７ｃを形成してある。
また、落ち葉除け板４は、その表面に短手幅方向に延びた複数の長孔４１を所定の間隔（Ｄ）で長手方向に沿って並設し、その上面の前端部側に各長孔４１と交差して両側端部間に亘って延びた下方に凹んだ凹溝４２を設け、前後両端部４３、４４をそれぞれ下方へ折り返して形成してある。
そして、落ち葉除け板４の凹溝４２の下面を樋吊り金具３の上部支持片３７の先端部３７ｂ上面に接合させるとともに、その後端部４４を屋根材６の先端部下側に潜り込ませ、前端部４３を軒樋２の前耳部２２ａの上面に当接させた状態で、重なり合った長孔４１と上部支持片３７の留め孔３７ｃにネジ１１ｂを螺合して留め付けることにより、上部支持片３７の先端部３７ｂに落ち葉除け板４が一体に固定されるように設けてある。
【００２１】
また、図７及び図８に示した形態は、屋根材６として瓦を用いた屋根の軒先に本発明の軒先構成体１を取り付けたものであり、両図に示されるように、この形態も補助水切り５は使用せず、軒樋２と樋吊り金具３と落ち葉除け板４とで軒先構成１を構成してある。
より詳しくは、この形態の樋吊り金具３は、本幹３１が図５に示した形態と同形状のもの、上部支持片３４が図１に示した形態と同形状のものをそれぞれ用いる以外、他の部材は前記両形態と同形状のものを用いて形成してある。
また、落ち葉除け板４は、その表面に短手幅方向に延びた複数の長孔４１を所定の間隔（Ｄ）で長手方向に沿って並設し、その上面の前端部側に各長孔４１と交差して両側端部間に亘って延びた下方に凹んだ凹溝４２を設け、前端部４３を下方へ屈曲し、後端部４４を下方へ折り返して形成してある。
そして、落ち葉除け板４の下面を樋吊り金具３の上部支持片３４の先端部３４ｄ上面に接合させるとともに、その後端部４４を屋根材６の先端部下側に潜り込ませ、前端部４３の縁部を樋吊り金具３の前側支持部３２ａと前片部３４ｂの隙間に軒樋２の前耳部２２ａとともに係入させた状態で、重なり合った長孔４１と上部支持片３４の留め孔３４ｅにネジ１１ｂを螺合して留め付けることにより、上部支持片３４の先端部３４ｄに落ち葉除け板４が一体に固定されるように設けてある。
【００２２】
図５〜図８に示された形態の軒先構成体１においても、屋根材６から流れ落ちる雨水を軒樋２内に確実に流し落し、また、落ち葉類や雪塊が軒樋２内に入り込むことを防止することができる。また、長さの異なる上部支持片３４、３７や形状の異なる落ち葉除け板４を予め形成しておき、軒先の設置条件に応じてこれらを適宜に選択して用いることにより、異なる形状の軒先に同形状の軒樋２や同一構成部材の樋吊り金具３を利用して取り付けるなどして部材の共用化を図ることが可能である。
【００２３】
なお、図示した軒先構成体の構成や各構成部材の形状は一例であり、本発明の軒先構成体は、軒先のデザインや設置条件などに応じて適宜な形態に設けることが可能である。
【図面の簡単な説明】
【００２４】
【図１】本発明の一実施形態の軒先構成体が取り付けられた軒先の概略断面図である。
【図２】図１の樋吊り金具の外観図（Ａ）と側面図（Ｂ）である。
【図３】図１の落ち葉除け板の外観図である。
【図４】樋吊り金具の支持片先端部の留め孔と落ち葉除け板表面の長孔の形成間隔を説明するための図である。
【図５】本発明の他の実施形態の軒先構成体が取り付けられた軒先の概略断面図である。
【図６】図５の樋吊り金具と落ち葉除け板の外観図である。
【図７】本発明のさらに他の実施形態の軒先構成体が取り付けられた軒先の概略断面図である。
【図８】図７の樋吊り金具の外観図である。
【図９】従来例の軒先の概略断面図である。
【符号の説明】
【００２５】
１  軒先構成体、２  軒樋、３  樋吊り金具、３４、３７  上部支持片、４  落ち葉除け板、５  補助水切り、６  屋根材、７  鼻隠し、８  鼻隠し水切り板、９  水切り、１０  軒天井、１１ａ  リベット、１１ｂ  ネジ、１１ｃ  ビス
【図１】
0005144158.tif 000002
【図２】
0005144158.tif 000003
【図３】
0005144158.tif 000004
【図４】
0005144158.tif 000005
【図５】
0005144158.tif 000006
【図６】
0005144158.tif 000007
【図７】
0005144158.tif 000008
【図８】
0005144158.tif 000009
【図９】
0005144158.tif 000010